(57)【要約】      （修正有）【課題】農業用の灌漑水を使用する際に、その水流のエネルギーを有効利用する水タンクに設置する発電装置を提供する。【解決手段】農業用水等の水タンクの流出口は通常タンク下部に設置され、水はタンク内の水圧により自然に吐出される。この流出流路に円筒形の流路中に設置した回転軸に付随したスパイラル状の羽根を有し、その回転軸から回転力を得て、小型発電機に伝達し発電する部材を設置する。このように排出水流から取り出した回転力を小型発電機に伝達し発電することにより、現状利用されていないエネルギーを有効に活用することが可能となる。【選択図】図１
0003181033.tif 000002
【実用新案登録請求の範囲】
【請求項１】
農業用の灌漑水に用いる水タンクと、該水タンクの出水流路に円筒形の流路中に設置した回転軸に付随したスパイラル状の羽根を有しその回転軸から回転力を取得する部材と、該部材により得られた回転力を伝達し発電する小型発電機からなる、水タンク設置発電装置。
【請求項２】
農業用の灌漑水に用いる水タンクと、該水タンクの出水流路に円筒形の流路中に設置した回転軸に付随したスパイラル状の羽根を有しその回転軸から回転力を取得する部材と、該部材により得られた回転力を伝達し発電する小型発電機からなり、該回転力を取得する部材及び小型発電機が出水流路系中に複数含むことを特徴とする、水タンク設置発電装置。
【請求項３】
農業用の灌漑水に用いる水タンクと、該水タンクの出水流路に円筒形の流路中に設置した回転軸に付随したスパイラル状の羽根を有しその回転軸から回転力を取得する部材と、該部材により得られた回転力を伝達し発電する小型発電機と、該発電機に接続され該電力により駆動される農業用の照明、加温、冷房或いは送風装置を含むことを特徴とする、水タンク設置発電装置。
【考案の詳細な説明】
【技術分野】
【０００１】
本考案は、農業用水等の水タンクに設置する発電装置に関するものである。
【背景技術】
【０００２】
農業用水や土木建築用の水は、水タンクに貯留して用いることが一般的であり、特に農業においては水は常に必須であるから、灌漑用水が整備されている場所以外では殆どの場合水タンクに貯留した水を用いている。
【０００３】
特にビニールハウス等に於いては降雨による水は期待出来ないのであるから、水タンクに貯留した水をハウス内に散布、或いは循環して灌漑するのが通常である。
【０００４】
しかし、この水タンクからの排出水流はエネルギー源として有用であるにも関わらず全くと言ってよいほど利用されていなかった。
【先行技術文献】
【特許文献】
【０００５】
【特許文献１】特開２００８−１５７１６７号公報
【特許文献２】特開２００４−３４０１１１号公報
【考案の概要】
【考案が解決しようとする課題】
【０００６】
解決しようとする問題点は、農業用の灌漑水を使用する際に、その水流のエネルギーを有効利用する水タンクに設置する発電装置を提供することである。
【課題を解決するための手段】
【０００７】
本考案は、農業用の灌漑水に用いる水タンクの出水流路に、円筒形の流路中に設置した回転軸に付随したスパイラル状の羽根を有し、その回転軸から回転力を得て、小型発電機に伝達し発電することを最も主要な特徴とする。
【０００８】
また本考案は、円筒形の流路中に設置した回転軸に付随したスパイラル状の羽根を有し、その回転軸から回転力を得て、小型発電機に伝達し発電する発電装置を、農業用の灌漑水に用いる水タンクの出水流路に加えてビニールハウス等の農業用灌漑流路に複数設置することを特徴とする。
【０００９】
また本考案は、農業用の灌漑水に用いる水タンクの出水流路に、円筒形の流路中に設置した回転軸に付随したスパイラル状の羽根を有し、その回転軸から回転力を得て、小型発電機に伝達し発電し、かかる電力を農業用の照明、加温、冷房或いは送風の動力として利用することを特徴とする。
【考案の効果】
【００１０】
本考案の農業用水等の水タンクに設置する発電装置は、農業用水として水タンクに貯留して用いられる灌漑用水の水タンクからの排出水流をエネルギー源として活用し、ビニールハウス内の照明や加温に用いる等、エネルギーの有効利用が図れるという効果がある。
【図面の簡単な説明】
【００１１】
【図１】図１は本考案の農業用水等の水タンクに設置する発電装置の主要部であって、円筒形の流路中に設置した回転軸に付随したスパイラル状の羽根の部分を示した図面代用写真である。（実施例１）
【図２】図２は本考案の農業用水等の水タンクに設置する発電装置の一部であって、円筒形の流路中に設置した回転軸に付随したスパイラル状の羽根の部分を円筒から引き出した状態を示した図面代用写真である。
【図３】図３は本考案の農業用水等の水タンクに設置する発電装置を設置する水タンクの一例を示した図面代用写真である。
【図４】図４は本考案の農業用水等の水タンクに設置する発電装置の通水による軸の回転を実験する様子を示した図面代用写真である。
【考案を実施するための形態】
【００１２】
本考案は、農業用の灌漑水に用いる水タンクの出水流路に、円筒形の流路中に設置した回転軸に付随したスパイラル状の羽根を有し、その回転軸から回転力を得て、小型発電機に伝達し発電することにより、エネルギーの有効利用を実現した。
【実施例１】
【００１３】
図１は、本考案の農業用水等の水タンクに設置する発電装置の主要部であって、円筒形の流路中に設置した回転軸に付随したスパイラル状の羽根の部分を示した図面代用写真である。軸の周囲にスパイラル状に羽根を設置したことで、円筒状の流路に水を通すことにより軸が回転し、この回転力を小型発電機に伝達することによって、通常活用されていなかった水流のエネルギーを電気エネルギーとして活用することが可能となる。
【００１４】
図２は本考案の農業用水等の水タンクに設置する発電装置の一部であって、円筒形の流路中に設置した回転軸に付随したスパイラル状の羽根の部分を円筒から引き出した状態を示した図面代用写真である。図からわかるように、流路のうち片側は軸に対して略垂直方向に設置することにより、より容易に軸の回転力を取り出し伝達することが出来る。
【００１５】
図３は本考案の農業用水等の水タンクに設置する発電装置を設置する水タンクの一例を示した図面代用写真である。水タンクの形状や大きさは任意であるが、この図面代用写真でもタンク下部に見られるように流出口は通常タンク下部に設置され、タンク内の水圧により自然に吐出される。この流出流路に本考案にかかる円筒形の流路中に設置した回転軸に付随したスパイラル状の羽根を有し、その回転軸から回転力を得て、小型発電機に伝達し発電する部材を設置する。このように排出水流から取り出した回転力を小型発電機に伝達し発電することにより、現状利用されていないエネルギーを有効に活用することが可能となった。
【００１６】
図４は本考案の農業用水等の水タンクに設置する発電装置の通水による軸の回転を実験する様子を示した図面代用写真である。この図面代用写真では、前記の流路のうち軸に対して略垂直方向に設置した側から水を流入させているが、同様に軸が回転し回転力を取り出すことが出来た。
【実施例２】
【００１７】
次に、本考案にかかる第２の実施例として、円筒形の流路中に設置した回転軸に付随したスパイラル状の羽根を有し、その回転軸から回転力を得て、小型発電機に伝達し発電する発電装置を、農業用の灌漑水に用いる水タンクの出水流路に加えてビニールハウス等の農業用灌漑流路に複数設置して用いた。
【００１８】
かかる構成としたことにより、発電量が増加し、さらに効率的にエネルギーを活用する音が可能となった。
【００１９】
ここで、本考案にかかる農業用の灌漑水に用いる水タンクの出水流路に、円筒形の流路中に設置した回転軸に付随したスパイラル状の羽根を有し、その回転軸から回転力を得て、小型発電機に伝達し発電する発電装置は、かかる電力を農業用の照明、加温、冷房或いは送風の動力として利用すると有効である。
【００２０】
かかる構成とすることにより、例えば農業用ビニールハウスに於いて、当然用いている灌漑用の水流のエネルギーを有効利用し、農業用の照明、加温、冷房或いは送風の動力を得ることが出来、エコロジー的にもまたコスト面でもメリットがある。
【産業上の利用可能性】
【００２１】
本考案の農業用水等の水タンクに設置する発電装置は、農業用水として水タンクに貯留して用いられる灌漑用水の水タンクからの排出水流をエネルギー源として活用し、ビニールハウス内の照明や加温に用いる等、エネルギーの有効利用が図れるという効果がある。
【図１】
0003181033.tif 000003
【図２】
0003181033.tif 000004
【図３】
0003181033.tif 000005
【図４】
0003181033.tif 000006